(57)【要約】【課題】  蔓性植物が支線に巻き上がるのを抑制できると共に、仮に蔓性植物が巻き上がった場合でも、蔓性植物を容易に除去できる巻き上がり抑制具及び蔓性植物用切断器具を提供する。【解決手段】  蔓性植物Ｚが支線Ｙに巻き上がるのを抑制する巻き上がり抑制具１と、巻き上がった蔓性植物Ｚを切断するための切断具２とを備え、巻き上がり抑制具１は、支線Ｙに装着される筒状の抑制具本体１１と、蔓性植物Ｚが支線Ｙに巻き上がるのを抑制すべく、抑制具本体１１から突出する突出部１２，１２とを備え、突出部１２は、巻き上がった蔓性植物Ｚを切断具２で切断する際に、切断具２を長手方向に沿って両側から案内すべく、長手方向に沿って配置され且つ周方向に複数並設されることを特徴とする。【選択図】  図１
2011223954.tif 000002
【特許請求の範囲】
【請求項１】
蔓性植物が支線に巻き上がるのを抑制する巻き上がり抑制具であって、
支線に装着される筒状の抑制具本体と、蔓性植物が支線に巻き上がるのを抑制すべく、抑制具本体から突出する突出部とを備え、
突出部は、巻き上がった蔓性植物を切断具で切断する際に、切断具を長手方向に沿って両側から案内すべく、長手方向に沿って配置され且つ周方向に複数並設されることを特徴とする巻き上がり抑制具。
【請求項２】
抑制具本体は、全長に亘って長手方向に沿う開口部を備えると共に、周方向にて弾性を有して形成される請求項１に記載の巻き上がり抑制具。
【請求項３】
開口部の各端縁に、突出部の基端側が連結される請求項２に記載の巻き上がり抑制具。
【請求項４】
請求項１〜３の何れか１項に記載の巻き上がり抑制具と、巻き上がった蔓性植物を切断するための切断具とを備える蔓性植物用切断器具であって、
切断具は、突出部に案内される際に支線又は巻き上がり抑制具と当接する先端部が丸みを帯びて形成されてなることを特徴とする蔓性植物用切断器具。
【発明の詳細な説明】
【技術分野】
【０００１】
本発明は、蔓性植物が支線に巻き上がるのを抑制する巻き上がり抑制具に関し、また、その巻き上がり抑制具と、巻き上がった蔓性植物を切断するための切断具とを備える蔓性植物用切断器具に関する。
【背景技術】
【０００２】
従来、電柱を支持する支線に、蔓性植物が巻き上がるのを抑制する巻き上がり抑制具として、支線に挿通される筒状（円柱状）の巻き上がり抑制具が知られている（例えば、特許文献１）。これにより、巻き上がり抑制具を装着している部分が拡径されるため、巻き上がり抑制具が障害となり、蔓性植物が巻き上がるのを抑制できる。
【先行技術文献】
【特許文献】
【０００３】
【特許文献１】特開平１１−９５号公報
【発明の概要】
【発明が解決しようとする課題】
【０００４】
ここで、特許文献１に係る巻き上がり抑制具において、蔓性植物が巻き上がり抑制具の上から巻き上がった場合には、蔓性植物が巻き上がり抑制具に密着して巻き付くことになる。したがって、巻き上がり抑制具の上から巻き上がった蔓性植物を除去（切断）するのは、非常に困難な作業となる。
【０００５】
よって、本発明は、斯かる事情に鑑み、蔓性植物が支線に巻き上がるのを抑制できると共に、仮に蔓性植物が巻き上がった場合でも、蔓性植物を容易に除去できる巻き上がり抑制具及び蔓性植物用切断器具を提供することを課題とする。
【課題を解決するための手段】
【０００６】
本発明に係る巻き上がり抑制具は、蔓性植物が支線に巻き上がるのを抑制する巻き上がり抑制具であって、支線に装着される筒状の抑制具本体と、蔓性植物が支線に巻き上がるのを抑制すべく、抑制具本体から突出する突出部とを備え、突出部は、巻き上がった蔓性植物を切断具で切断する際に、切断具を長手方向に沿って両側から案内すべく、長手方向に沿って配置され且つ周方向に複数並設されることを特徴とする。
【０００７】
本発明に係る巻き上がり抑制具によれば、支線に装着される筒状の抑制具本体から、突出部が突出している。これにより、巻き上がり抑制具を装着している部分が突出部により拡径されるため、蔓性植物が巻き上がるのを抑制できる。また、仮に蔓性植物が巻き上がり抑制具の上から巻き上がった場合には、突出部が周方向に複数並設されているため、蔓性植物が突出部に跨って巻き付き、その結果、蔓性植物が抑制具本体や支線と密着するのを防止できる。
【０００８】
さらに、突出部が長手方向に沿って配置されているため、巻き上がった蔓性植物を切断具で切断する際に、切断具を長手方向に沿って両側から案内することができる。したがって、両側から案内される切断具で、抑制具本体や支線から離間する（抑制具本体や支線と隙間を有する）蔓性植物を切断することにより、巻き上がった蔓性植物を除去できる。
【０００９】
また、本発明に係る巻き上がり抑制具においては、抑制具本体は、全長に亘って長手方向に沿う開口部を備えると共に、周方向にて弾性を有して形成されてもよい。
【００１０】
斯かる構成の巻き上がり抑制具によれば、抑制具本体には、全長に亘って長手方向に沿う開口部が設けられると共に、抑制具本体が周方向にて弾性を有して形成されている。これにより、抑制具本体を弾性変形することにより、開口部を周方向で拡げたり狭めたりすることができるため、支線を抑制具本体に挿したり抑制具本体から抜いたりすることが容易にできる。
【００１１】
また、本発明に係る巻き上がり抑制具においては、開口部の各端縁に、突出部の基端側が連結されてもよい。
【００１２】
斯かる構成の巻き上がり抑制具によれば、開口部の各端縁に、突出部の基端側が連結されているため、突出部の先端側を操作することにより、テコの原理を利用できる。これにより、抑制具本体を容易に弾性変形させることができる。
【００１３】
また、本発明に係る蔓性植物用切断器具は、前記の巻き上がり抑制具と、巻き上がった蔓性植物を切断するための切断具とを備える蔓性植物用切断器具であって、切断具は、突出部に案内される際に支線又は巻き上がり抑制具と当接する先端部が丸みを帯びて形成されてなることを特徴とする。
【００１４】
本発明に係る蔓性植物用切断器具によれば、巻き上がった蔓性植物を切断具で切断する際に、切断具が突出部に案内されるため、蔓性植物を容易に切断できる。そして、切断具の先端部が丸みを帯びて形成されているため、切断具の先端部が支線又は巻き上がり抑制具と当接しても、支線又は巻き上がり抑制具が損傷するのを防止できる。
【発明の効果】
【００１５】
以上の如く、本発明に係る巻き上がり抑制具及び蔓性植物用切断器具によれば、蔓性植物が支線に巻き上がるのを抑制できると共に、仮に蔓性植物が巻き上がった場合でも、蔓性植物を容易に除去できるという優れた効果を奏する。
【図面の簡単な説明】
【００１６】
【図１】本発明の一実施形態に係る蔓性植物用切断器具の概要図であって、（ａ）は全体正面図、（ｂ）は要部斜視図を示す。
【図２】同実施形態に係る巻き上がり抑制具の全体図であって、（ａ）は正面図、（ｂ）は側面図を示す。
【図３】同実施形態に係る蔓性植物用切断器具の装着方法を説明する図であって、（ａ）及び（ｂ）はそれぞれ側面図を示す。
【図４】同実施形態に係る蔓性植物用切断器具の切断方法を説明する図であって、（ａ）及び（ｂ）はそれぞれ側面図を示す。
【図５】本発明の他の実施形態に係る巻き上がり抑制具の全体図であって、（ａ）及び（ｂ）はそれぞれ側面図を示す。
【図６】本発明のさらに他の実施形態に係る巻き上がり抑制具の全体図であって、（ａ）及び（ｂ）はそれぞれ側面図を示す。
【発明を実施するための形態】
【００１７】
以下、本発明に係る巻き上がり抑制具及び蔓性植物用切断器具における一実施形態について、図１〜図４を参酌して説明する。
【００１８】
本実施形態に係る蔓性植物用切断器具は、図１及び図２に示すように、電柱Ｘを支持する支線Ｙに、蔓性植物Ｚが巻き上がるのを抑制すべく、支線Ｙの軸心方向（長手方向）に沿って並設される複数（本実施形態においては三つ）の巻き上がり抑制具１，…と、巻き上がった蔓性植物Ｚを切断するための切断具２とを備える。なお、巻き上がり抑制具１は、切断具２で蔓性植物Ｚを切断するのを補助する切断補助具としても機能する。
【００１９】
巻き上がり抑制具（切断補助具）１は、支線Ｙに装着される筒状の抑制具本体１１と、蔓性植物Ｚが支線Ｙに巻き上がるのを抑制すべく、抑制具本体１１から突出する複数（本実施形態においては二つ）の突出部１２，１２とを備える。そして、巻き上がり抑制具１は、硬質樹脂で形成されていると共に、長尺（例えば全長約１．５メートル）に形成されている。
【００２０】
抑制具本体１１は、全長に亘って長手方向に沿う開口部１１ａを備える。そして、抑制具本体１１は、周方向において弾性を有して形成され、弾性変形していない状態において、内径が支線Ｙの外径と同一又は支線Ｙの外径よりも小さくなるように形成されている。なお、支線Ｙは、一般的に、鋼より線であって、外径が６．０ミリメートル、６．９ミリメートル、７．８ミリメートルであるのものが採用されている。
【００２１】
そして、抑制具本体１１は、周方向で弾性変形されることにより、支線Ｙに着脱可能に構成されている。具体的には、抑制具本体１１は、開口部１１ａを周方向で拡げることで、支線Ｙを挿入可能になると共に、拡げた開口部１１ａを周方向で狭めて復元することで、挿入した支線Ｙを外方から押圧して保持可能になる。
【００２２】
各突出部１２は、抑制具本体１１における開口部１１ａの各端縁から径方向外向きに突出している。換言すると、各突出部１２は、基端側が開口部１１ａの端縁に連結されている。また、各突出部１２は、平板状に形成されていると共に、先端部１２ａが丸みを帯びて形成されている。そして、一対の突出部１２，１２は、巻き上がった蔓性植物Ｚを切断具２で切断する際に、切断具２を長手方向に沿って両側から案内すべく、長手方向に沿って配置され且つ周方向に並設されている。
【００２３】
また、一対の突出部１２，１２は、抑制具本体１１が弾性変形していない状態（巻き上がり抑制具１が支線Ｙに装着されている状態）において、相互の離間距離が基端側よりも先端側の方が大きくなるように配置されている。具体的には、一対の突出部１２，１２は、先端側に向けて相互の離間距離が次第に大きくなるように（外拡がりに）配置されている。
【００２４】
切断具２は、長尺な棒状に形成され、作業者に把持される切断具本体２１と、切断具本体２１の先端に取り付けられ、蔓性植物Ｚを切断する切断部２２とを備える。そして、切断具２は、蔓性植物Ｚを切断する部位の高さに対応すべく、切断具本体２１が伸縮可能に構成されている。
【００２５】
切断部２２は、蔓性植物Ｚを切断すべく、板状に形成され且つ一方の側縁が先鋭な刃部２２ａを備える。また、切断部２２は、突出部１２，１２や支線Ｙと当接する先端部２２ｂが丸みを帯びて形成されてなる。具体的には、切断部２２は、刃部２２ａの先端に配置され、略球状に形成される先端部２２ｂを備える。
【００２６】
本実施形態に係る巻き上がり抑制具１及び蔓性植物用切断器具の構成については以上の通りであり、次に、本実施形態に係る巻き上がり抑制具１を支線Ｙに装着する方法と、蔓性植物用切断器具を用いて蔓性植物Ｚを切断する方法とについて、図３及び図４を参酌して、説明する。
【００２７】
まず、図３（ａ）に示すように、一対の突出部１２，１２が離反するよう（図３（ａ）のＡ矢印方向）に、一対の突出部１２，１２を付勢（操作）する。これにより、抑制具本体１１が周方向にて弾性変形するため、開口部１１ａの隙間が支線Ｙの直径よりも大きくなる。そして、巻き上がり抑制具１が支線Ｙに接近するよう（図３（ａ）のＢ矢印方向）に、巻き上がり抑制具１を移動させて、筒状に形成される抑制具本体１１の内部に支線Ｙを挿入する。
【００２８】
その後、一対の突出部１２，１２の付勢を停止すると、図３（ｂ）に示すように、弾性変形していた抑制具本体１１が弾性力により復元するため、開口部１１ａが狭められる。これにより、開口部１１ａの隙間が支線Ｙの直径よりも小さくなり、しかも、抑制具本体１１が支線Ｙを径方向外方から押圧して保持するため、巻き上がり抑制具１が支線Ｙに装着される。
【００２９】
そして、巻き上がり抑制具１を装着している部分が突出部１２，１２により拡径されるため、蔓性植物Ｚが巻き上がるのを抑制できる。しかしながら、図４（ａ）に示すように、蔓性植物Ｚが巻き上がり抑制具１の上から巻き上がる場合もある。このとき、突出部１２，１２が周方向に一対並設されているため、蔓性植物Ｚが一対の突出部１２，１２に跨って巻き付くことになる。これにより、蔓性植物Ｚが支線Ｙから離間している。
【００３０】
そして、図４（ｂ）に示すように、支線Ｙと蔓性植物Ｚとの間で且つ一対の突出部１２，１２の間に、切断部２２の先端部２２ｂを入れ込んだ状態で、長手方向に沿って配置される突出部１２，１２が切断部２２を両側から案内するように、切断具２を操作する。これにより、蔓性植物Ｚを切断し、巻き上がった蔓性植物Ｚを容易に除去できる。
【００３１】
以上より、本実施形態に係る巻き上がり抑制具１及び蔓性植物用切断器具によれば、支線Ｙに装着される筒状の抑制具本体１１から、一対の突出部１２，１２が突出している。これにより、巻き上がり抑制具１を装着している部分が突出部１２，１２により拡径されるため、蔓性植物Ｚが巻き上がるのを抑制できる。
【００３２】
また、本実施形態に係る巻き上がり抑制具１及び蔓性植物用切断器具によれば、蔓性植物Ｚが巻き上がり抑制具１の上から巻き上がった場合でも、一対の突出部１２，１２が周方向に並設されているため、蔓性植物Ｚが一対の突出部１２，１２に跨って巻き付くことになる。これにより、蔓性植物Ｚが抑制具本体１１や支線Ｙと周方向全体に亘って密着するのを防止できる。
【００３３】
しかも、各突出部１２が抑制具本体１１の全長に亘って長手方向に沿って配置されているため、巻き上がった蔓性植物Ｚを切断具２で切断する際に、切断具２の切断部２２を長手方向に沿って両側から案内することができる。したがって、両側から案内される切断具２で、抑制具本体１１や支線Ｙから離間する蔓性植物Ｚを切断することにより、巻き上がった蔓性植物Ｚを容易に除去できる。
【００３４】
また、本実施形態に係る巻き上がり抑制具１及び蔓性植物用切断器具によれば、抑制具本体１１には、全長に亘って長手方向に沿う開口部１１ａが設けられると共に、抑制具本体１１が周方向にて弾性を有して形成されている。これにより、抑制具本体１１を弾性変形することにより、開口部１１ａを周方向で拡げたり狭めたりすることができるため、支線Ｙを抑制具本体１１に挿したり抑制具本体１１から抜いたりすることが容易にできる。
【００３５】
また、本実施形態に係る巻き上がり抑制具１及び蔓性植物用切断器具によれば、開口部１１ａの各端縁に、それぞれ突出部１２の基端側が連結されているため、突出部の先端側を操作することにより、テコの原理を利用できる。これにより、抑制具本体１１を容易に弾性変形させることができるため、巻き上がり抑制具１を容易に支線Ｙに装着することができる。
【００３６】
また、本実施形態に係る蔓性植物用切断器具によれば、切断具２の先端部２２ｂが丸みを帯びて形成されているため、切断具２の切断部２２が突出部１２，１２に案内される際に、切断具２の先端部２２ｂが支線Ｙと当接しても、支線Ｙが損傷するのを防止できる。
【００３７】
なお、本発明に係る巻き上がり抑制具１及び蔓性植物用切断器具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００３８】
例えば、上記実施形態に係る巻き上がり抑制具１においては、硬質樹脂で形成されている場合を説明したが、斯かる場合に限られない。例えば、地上付近においては、回転カッターで雑草（植物）を切断する作業の際に、誤って切断されないように、巻き上がり抑制具は、金属で形成される場合でもよい。
【００３９】
また、図５（ａ）に示すように、巻き上がり抑制具１は、全長に亘って外側を覆う剛性を有する金属製の防護カバー３を着脱可能に構成される場合でもよい。斯かる構成によれば、回転カッターで誤って切断されるのを防止でき、しかも、巻き上がり抑制具１と防護カバー３とが嵌合しているため、巻き上がり抑制具１の抑制具本体１１が周方向で弾性変形するのも防止できる。
【００４０】
また、上記実施形態に係る巻き上がり抑制具１においては、各突出部１２が平板状に形成される場合を説明したが、斯かる場合に限られない。例えば、突出部は、先端に向けてテーパ状となるように形成される場合でもよく、また、図５（ｂ）に示すように、各突出部１２１は、中途部で屈曲する板状に形成される場合、即ち、切断部２２の先端部２２ｂを抜け止めすべく、切断部２２の先端部２２ｂを係止する係止部１２１ａを先端側に備える場合でもよい。
【００４１】
また、上記実施形態に係る巻き上がり抑制具１においては、抑制具本体１１には、全長に亘って長手方向に沿う開口部１１ａが設けられると共に、抑制具本体１１が周方向にて弾性を有することで、支線Ｙに装着可能に構成される場合を説明したが、斯かる場合に限られない。例えば、巻き上がり抑制具の抑制具本体は、支線Ｙを挟持する一対の挟持部材と、一対の挟持部材を締結する締結手段とを備える場合でもよい。
【００４２】
また、上記実施形態に係る巻き上がり抑制具１においては、抑制具本体１１が円筒状に形成される場合を説明したが、斯かる場合に限られない。例えば、抑制具本体は、角筒状に形成される場合でもよい。
【００４３】
また、上記実施形態に係る巻き上がり抑制具１においては、突出部１２，１２が一対（二つ）設けられる場合を説明したが、斯かる場合に限られない。具体的には、突出部は、三つ以上設けられる場合でもよく、そして、各突出部間で切断具２の切断部２２を両側から案内可能に構成される場合でもよい。
【００４４】
また、本発明に係る巻き上がり抑制具は、蔓性植物Ｚが巻き上がるのを防止すべく、図６（ａ）及び（ｂ）に示すように、各突出部１２２，１２３の長さ（突出量）を所定長さ、具体的には、５〜１０センチメートルとしてもよい。しかも、図６（ｂ）に示すように、各突出部１２３は、切断部２２の先端部２２ｂを抜け止めすべく、板状の突出部本体１２３ａから内方（互いに対面する方向）に突出し、切断部２２の先端部２２ｂを係止する係止部１２３ｂを備えてもよい。
【００４５】
また、本発明に係る巻き上がり抑制具は、装着される支線Ｙに対して回転する（周方向で位置ずれする）のを防止すべく、回転防止手段を備える場合でもよい。例えば、回転防止手段は、抑制具本体の内面が支線Ｙの表面の凹凸に対応させた凹凸状に形成され、抑制具本体と支線Ｙとが凹凸嵌合（密着）させる場合でもよく、また、抑制具本体の内面から突出する先鋭部を備え、先鋭部が支線Ｙに食い込むように（先鋭部が支線Ｙを掛止するように）構成される場合でもよく、さらに、抑制具本体の内側に弾性部材（ゴム等）を配置する場合でもよい。
【００４６】
また、本発明に係る蔓性植物用切断器具は、長手方向に並設される巻き上がり抑制具１，…を連結する連結部材を備える場合でもよい。
【符号の説明】
【００４７】
１…巻き上がり抑制具、２…切断具、１１…抑制具本体、１１ａ…開口部、１２…突出部、１２ａ…（突出部の）先端部、２１…切断具本体、２２…切断部、２２ａ…刃部、２２ｂ…（切断部の）先端部
【図１】
2011223954.tif 000003
【図２】
2011223954.tif 000004
【図３】
2011223954.tif 000005
【図４】
2011223954.tif 000006
【図５】
2011223954.tif 000007
【図６】
2011223954.tif 000008